【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
廃棄物を分別する方法であって、分別が意図される前記廃棄物又はリサイクル可能な材料を、手提げ袋、袋又はサック（１）に入れた状態で、コンベヤーを備える分別装置に運び、前記コンベヤーから、様々な廃棄物区分に属する前記手提げ袋、袋又はサックを、前記区分に従って容器へ又は更なる処理のためにガイドすることによって互いから分離させ、該方法において、ＲＦＩＤ識別子（３）が前記廃棄物の搬送に用いる前記手提げ袋、袋、サック（１）又は同等物に関連して使用される、廃棄物を分別する方法において、ＲＦＩＤ識別子（３）が設けられた閉鎖手段（２）を、前記手提げ袋、袋、サック（１）若しくは同等物を閉じる際に使用するか、又は前記手提げ袋、袋、サック（１）若しくは同等物が閉じられたことを確認するものとして使用し、また、該方法において、分別が意図される前記手提げ袋、袋、サック（１）又は同等物を、コンベヤー上で移動させ、該コンベヤーに接続され又は該コンベヤー付近に少なくとも１つのセンサー（Ｓ１、Ｓ２、Ｓ３、Ｓ４、Ｓ５）が配置されており、該センサーの、前記閉鎖手段（２）の前記ＲＦＩＤ識別子（３）から読み取った情報に基づいて、ロボットのような少なくとも１つのハンドリングデバイス（Ｒ１、Ｒ２、Ｒ３、Ｒ４、Ｒ５）又は少なくとも１つのハンドリングデバイス（Ｒ１、Ｒ２、Ｒ３、Ｒ４、Ｒ５）の一部を制御し、それによって、少なくとも１つのハンドリングデバイス又は少なくとも１つのハンドリングデバイスの一部が、前記ＲＦＩＤ識別子（３）が与える前記情報に基づいて、分別すべき前記手提げ袋、袋、サック（１）又は同等物を前記コンベヤーから前記様々な区分に移送するようにすることを特徴とする、方法。
【請求項２】
手提げ袋、袋、サック（１）又は同等物を、少なくとも１つのハンドリングデバイス（Ｒ１、Ｒ２、Ｒ３、Ｒ４、Ｒ５）を用いて前記コンベヤーから最初に上方に持ち上げ、次いで、更なる処理のために移送することを特徴とする、請求項１に記載の方法。
【請求項３】
前記方法において、ユーザーによって自由に選択されるプラスチック手提げ袋、プラスチックサック又はプラスチック袋のような手提げ袋、袋又はサック（１）を廃棄物搬送において使用することを特徴とする、請求項１又は２に記載の方法。
【請求項４】
前記ハンドリングデバイス（Ｒ１、Ｒ２、Ｒ３、Ｒ４、Ｒ５）は、手提げ袋、袋、サック（１）又は同等物を前記コンベヤーから袋リッパー（１０４）のような手段に移送し、該袋リッパー（１０４）は前記手提げ袋、袋、サック（１）又は同等物に穴をもたらし、該穴から、内部の前記廃材又はリサイクル可能な材料を前記手提げ袋、袋、サック（１）又は同等物から取り出すことを特徴とする、請求項１乃至３のいずれか一項に記載の方法。
【請求項５】
前記方法において、手提げ袋、袋、サック（１）又は同等物、及び前記廃材又はリサイクル可能な材料を互いから分離させることを特徴とする、請求項１乃至４のいずれか一項に記載の方法。
【請求項６】
前記方法において、廃棄物を袋、手提げ袋、サック（１）又は同等物に形成した穴から重力によって分別コンベヤー上に載せて容器へ又は更なる処理のために移送することを特徴とする、請求項１乃至５のいずれか一項に記載の方法。
【請求項７】
空になった手提げ袋、袋、サック（１）又は同等物を、前記ハンドリングデバイスを用いて容器へ若しくは前記コンベヤー装置の送り込み容器へ又は更なる処理のために移送することを特徴とする、請求項１乃至６のいずれか一項に記載の方法。
【請求項８】
前記方法において、前記手提げ袋、袋、サック（１）又は同等物を、複数のハンドリングデバイスを用いて前記コンベヤーから様々な区分に分別するように移送することを特徴とする、請求項１乃至７のいずれか一項に記載の方法。
【請求項９】
分別すべき前記手提げ袋、袋、サック（１）又は同等物を前記コンベヤーの第１の端部から第２の端部に向けて前記コンベヤー上を移動させ、該コンベヤーの経路に並行して移送される前記手提げ袋、袋、サック（１）又は同等物の前記ＲＦＩＤ識別子（３）に基づいて、前記手提げ袋、袋、サック（１）又は同等物を、前記ハンドリングデバイスを用いて様々な区分に移送することを特徴とする、請求項１乃至８のいずれか一項に記載の方法。
【請求項１０】
前記方法において、複数のセンサー（Ｓ１、Ｓ２、Ｓ３、Ｓ４、Ｓ５）を前記コンベヤーに接続して又は該コンベヤー付近に配置し、前記センサーの、前記ＲＦＩＤ識別子（３）から読み取った情報に基づいて、ロボットのような複数のハンドリングデバイス（Ｒ１、Ｒ２、Ｒ３、Ｒ４、Ｒ５）又は該複数のハンドリングデバイス（Ｒ１、Ｒ２、Ｒ３、Ｒ４、Ｒ５）の一部を制御し、それによって、該ハンドリングデバイス又は該複数のハンドリングデバイスの少なくとも一部が、分別すべき前記手提げ袋、袋、サック（１）又は同等物を前記ＲＦＩＤ識別子（３）が与える情報に基づいて前記コンベヤーから前記様々な区分に移送するようにすることを特徴とする、請求項１乃至９のいずれか一項に記載の方法。
【請求項１１】
前記廃棄物の少なくとも一部を、前記コンベヤー（１０３）上に直接載せて更なる処理のために又は容器へ導くことを特徴とする、請求項１乃至１０のいずれか一項に記載の方法。
【請求項１２】
前記廃棄物から分離した前記手提げ袋、袋、サック（１）又は同等物を、空気圧式パイプコンベヤーを用いて容器へ又は更なる処理のために移送することを特徴とする、請求項１乃至１１のいずれか一項に記載の方法。
【請求項１３】
廃棄物分別システムであって、分別が意図される廃棄物又はリサイクル可能な材料が、手提げ袋、袋又はサック（１）に入れた状態で、コンベヤー（１０３）を備える該システムに運ばれ、前記コンベヤー（１０３）から、様々な廃棄物区分に属する前記手提げ袋、袋又はサックを、前記区分に従って容器へ又は更なる処理のためにガイドすることによって互いから分離させる、廃棄物分別システムにおいて、ＲＦＩＤ識別子（３）が、前記手提げ袋、袋、サック（１）若しくは同等物を閉じる際に使用すべき、又は前記手提げ袋、袋、サック（１）若しくは同等物が閉じられたことを確認するものとして使用すべき閉鎖手段（２）内に配置されていること、及び、前記コンベヤーは、分別が意図される前記手提げ袋、袋、サック（１）又は同等物を移動させるようになっていること、及び、少なくとも１つのセンサー（Ｓ１、Ｓ２、Ｓ３、Ｓ４、Ｓ５）が前記コンベヤーに接続され又は該コンベヤー付近に配置されており、前記センサーはＲＦＩＤ識別子（３）の情報を読み取るようになっていること、及び、ロボットのような少なくとも１つのハンドリングデバイス（Ｒ１、Ｒ２、Ｒ３、Ｒ４、Ｒ５）又は少なくとも１つのハンドリングデバイス（Ｒ１、Ｒ２、Ｒ３、Ｒ４、Ｒ５）の一部が、分別すべき前記手提げ袋、袋、サック（１）又は同等物を、前記ＲＦＩＤ識別子（３）が与える情報に基づいて前記コンベヤー（１０３）から前記様々な区分に移送するようになっていることを特徴とする、システム。
【請求項１４】
袋、手提げ袋、サック（１）又は同等物に穴を形成する手段（１０４）を備え、前記穴から、内部の前記廃材又はリサイクル可能な材料が出るようになっていることを特徴とする、請求項１３に記載のシステム。
【請求項１５】
ユーザーによって自由に選択されるプラスチック手提げ袋、プラスチックサック又はプラスチック袋のような手提げ袋、袋又はサック（１）を廃棄物搬送において使用するようになっていることを特徴とする、請求項１３又は１４に記載のシステム。
【請求項１６】
前記閉鎖手段（２）及び／又は前記ＲＦＩＤ識別子（３）が与える情報に基づいて様々な区分に廃棄物を分別するようになっていることを特徴とする、請求項１３乃至１５のいずれか一項に記載のシステム。
【請求項１７】
分別された廃棄物区分物を受け取るようになっている、前記コンベヤー（１０３）に対して横断する分別コンベヤー（１０５、１０９、１１０、１１１、１１２）を備えることを特徴とする、請求項１３乃至１６のいずれか一項に記載のシステム。
【請求項１８】
分別された廃棄物区分物用の容器（１０６、１０７）を備えることを特徴とする、請求項１３乃至１７のいずれか一項に記載のシステム。
【請求項１９】
前記ハンドリングデバイス（Ｒ１、Ｒ２、Ｒ３、Ｒ４、Ｒ５）は、分別すべき手提げ袋、袋、サック（１）又は同等物を把持する把持手段（１２０）を備えることを特徴とする、請求項１３乃至１８のいずれか一項に記載のシステム。
【請求項２０】
複数のセンサー（Ｓ１、Ｓ２、Ｓ３、Ｓ４、Ｓ５）が前記コンベヤー（１０３）に接続して又は該コンベヤー（１０３）付近に配置されており、該センサーはＲＦＩＤ識別子（３）を読み取るようになっており、ロボットのような複数のハンドリングデバイス（Ｒ１、Ｒ２、Ｒ３、Ｒ４、Ｒ５）又は該複数のハンドリングデバイス（Ｒ１、Ｒ２、Ｒ３、Ｒ４、Ｒ５）の一部を制御することが意図され、それによって、前記ハンドリングデバイス又は該ハンドリングデバイスの少なくとも一部が、前記ＲＦＩＤ識別子（３）が与える情報に基づいて、分別すべき前記手提げ袋、袋、サック（１）又は同等物を前記コンベヤー（１０３）から前記様々な区分に移送するようにすることを特徴とする、請求項１３乃至１９のいずれか一項に記載のシステム。
【請求項２１】
前記廃棄物から分離した前記手提げ袋、袋又はサック（１）又は同等物を容器へ又は更なる処理のために移送する手段（１０８、１１７、１１８）を備えることを特徴とする、請求項１３乃至２０のいずれか一項に記載のシステム。